(57)【要約】      （修正有）【課題】ＱＲコード（登録商標）とＮＦＣタグとを訴求面に有したＰＯＰ材において、２種類のインターネット利用の商品情報入手用表示部の表示による訴求面積の減少を抑えられるＮＦＣタグ・ＱＲコード付ＰＯＰを提供する。【解決手段】ＰＯＰカード１２の表面１２ａの一部領域に、ＮＦＣマーク付ＱＲコード１５を表示し、かつＰＯＰカード１２のうち、ＮＦＣマーク付ＱＲコード１５の表示部分の裏側に、ＮＦＣタグ１６を設けた。そのため、ＰＯＰカード１２の表面１２ａに、ＱＲコード１３とモバイル非接触ＩＣ通信マーク１４という２種類の商品情報入手用の表示部を表示したことでの訴求面積の減少を抑えられる。【選択図】図１
0003219384.tif 000002
【実用新案登録請求の範囲】
【請求項１】
商品のＰＯＰ広告を掲げるためのＰＯＰ材の訴求面の一部領域に、ＱＲコードの一部にモバイル非接触ＩＣ通信マークを付したＮＦＣマーク付ＱＲコードを表示し、前記ＰＯＰ材のうち、前記ＮＦＣマーク付ＱＲコードの表示部分の裏側またはその内部に、ＮＦＣタグを取り付けたことを特徴とするＮＦＣタグ・ＱＲコード付ＰＯＰ。
【請求項２】
前記ＰＯＰ材は、前記商品を陳列する販売促進助成物に引っ掛けることにより、前記商品に対する意識や関心を高め、かつ購買を促進するプロモーションフック用のＰＯＰカード、ブックエンドＰＯＰ、スイングＰＯＰの何れか１つであることを特徴とする請求項１に記載のＮＦＣタグ・ＱＲコード付ＰＯＰ。
【考案の詳細な説明】
【技術分野】
【０００１】
本考案は、店舗の陳列棚の例えばプロモーションフックなどに設置されて、商品の販売促進や商品の陳列を行うためのＮＦＣタグ・ＱＲコード付ＰＯＰに関する。
【背景技術】
【０００２】
例えば、什器用のプロモーションフックの掲示部材に配された商品のＰＯＰ広告を掲げるＰＯＰカード（ＰＯＰ材）に、ＱＲコード（登録商標）を取り付け、これをスマートフォン（携帯情報端末）のＱＲコードリーダにより読み取ることで、ディスプレイに商品情報サイトの画面を表示し、多くの商品情報を顧客に送信可能なものが知られている。
【０００３】
また、このＰＯＰカードにスマートフォンをかざすだけで、同様にディスプレイに商品情報サイトの画面を表示するものとして、ＮＦＣ（Ｎｅａｒ  Ｆｉｅｌｄ  Ｃｏｍｍｕｎｉｃａｔｉｏｎ）タグが知られている（例えば、特許文献１など）。ＮＦＣタグは、スマートフォンのＮＦＣリーダにより読み取る。
【先行技術文献】
【特許文献】
【０００４】
【特許文献１】実用新案登録第３２１４０５４号公報
【考案の概要】
【考案が解決しようとする課題】
【０００５】
しかしながら、これらの従来技術では、プロモーションフックのＰＯＰカードにＱＲコードと、ＮＦＣタグの搭載を知らせる「タッチ！」などの文字を表示するスペースが必要であった。よって、その分だけ、消費者の購買意欲に働きかけるＰＯＰカードの訴求面が減少していた。
【０００６】
そこで、考案者は鋭意研究の結果、ＱＲコードの一部に画像や文字を加入したデザインＱＲコードに着目した。すなわち、ＰＯＰ材の訴求面に表示されたＱＲコードの一部に、ＮＦＣタグ付きを示す“モバイル非接触ＩＣ通信マーク”を表示し、かつＰＯＰ材のうち、このＮＦＣマーク付ＱＲコードの表示部分の裏側やその内部に、ＮＦＣタグを設けるようにすれば、上述した問題は全て解消されることを知見し、この考案を完成させた。
【０００７】
本考案は、このような従来の問題点に鑑みなされたもので、訴求面にＱＲコードとＮＦＣタグとが表示されたＰＯＰ材において、これら２種類のインターネットを介した商品情報入手用表示部の表示による訴求面積の減少を抑えることができるＮＦＣタグ・ＱＲコード付ＰＯＰを提供することを目的としている。
【課題を解決するための手段】
【０００８】
請求項１に記載の考案は、商品のＰＯＰ広告を掲げるためのＰＯＰ材の訴求面の一部領域に、ＱＲコードの一部にモバイル非接触ＩＣ通信マークを付したＮＦＣマーク付ＱＲコードを表示し、前記ＰＯＰ材のうち、前記ＮＦＣマーク付ＱＲコードの表示部分の裏側またはその内部に、ＮＦＣタグを取り付けたことを特徴とするＮＦＣタグ・ＱＲコード付ＰＯＰである。
【０００９】
商品の種類は、店内で販売可能なものであれば任意である。例えば、化粧品、食物、飲物、衣料品、家電品、調理器具、雑貨品、医薬品、医療品、健康器具、嗜好品、スポーツ用品、文具、書籍、園芸品、工具、ペット用品、家具、寝具などでもよい。
ＰＯＰ広告としては、価格（定価、割引価格）、製造会社名などを採用することができる。
【００１０】
ＰＯＰ材（ＰＯＰ媒体）としては、各種の販促物（販売促進助成物）を採用することができる。ＰＯＰ材の裏側や内部に配されたＮＦＣタグを、ＰＯＰ材の表側から読み取り可能であれば、シート状のものでも、板状のものでも、箱状のものでもよい。具体例を挙げれば、ＰＯＰカード、ブックエンドＰＯＰ、スイングＰＯＰ、什器などを採用することができる。
ＰＯＰ材の素材は任意である。例えば、各種の紙、各種のプラスチック、各種の金属などを採用することができる。
ＰＯＰ材のサイズや形状は限定されない。
ＰＯＰ材の訴求面は、ＰＯＰ材の種類や形状などにより適宜変更される。一般的には、ＰＯＰ材の表面（外面）である。
【００１１】
ＱＲコードとは、コンピュータ等に情報を入力するための光学的に読み取り可能な、デンソーが開発したマトリックス型二次元コードである。
モバイル非接触ＩＣ通信マークとは、非接触ＩＣカード技術方式“ＦｅｌｉＣａ（登録商標）”を含む非接触ＩＣ通信（ＮＦＣ）に対応した機器およびサービスにおいて、かざす場所を表すマークである。このマークが携帯情報端末のディスプレイに表示されることで、顧客が「ＮＦＣに対応している」、「どこをかざせばよいか」を容易に認識することができる。
ＮＦＣマーク付ＱＲコードにおいて、モバイル非接触ＩＣ通信マークを表示する位置（箇所）は任意である。例えば、ＱＲコードの中央部でも、一端部でよい。
また、モバイル非接触ＩＣ通信マークのサイズも任意である。
【００１２】
ＮＦＣ（Ｎｅａｒ  Ｆｉｅｌｄ  Ｃｏｍｍｕｎｉｃａｔｉｏｎ）タグとは、数メートル以内の近距離無線通信を行うためのＲＦＩＤ（Ｒａｄｉｏ  ｆｒｅｑｕｅｎｃｙ  ｉｄｅｎｔｉｆｉｃａｔｉｏｎ）である。ＮＦＣタグは、アンテナと、高周波回路を有したＮＦＣ通信部と、ＲＯＭまたはＲＡＭのタグ記憶部と、ＣＰＵを内蔵した制御部と、電源回路の受電部とを有している。
ＮＦＣタグは、ＰＯＰ材のうち、ＱＲコードが表示された部分の裏側に取り付け（接着、貼着など）でもよい。また、このＱＲコードが表示されたＰＯＰ材の一部領域に埋め込んでもよい。
タグ記憶部には、商品の商品情報サイトのアドレスだけでなく、例えば、商品情報、商品に関連したサービス情報、店舗情報などを記憶させてもよい。
商品情報サイトは、インターネット回線に接続された管理サーバ（クラウドサーバを含む）により運営され、そのデータベースにコンテンツが記憶されている。
【００１３】
商品情報サイトの運営者は任意である。例えば、商品のメーカ、メーカと提携した商品の販売会社、商品を店舗販売する各種の店舗（例えば、スーパーマーケット、百貨店、ショッピングモール、個人の店舗など）でもよい。
商品情報としては、例えば、価格（定価など）、商品の成分、商品の特徴、使用方法、製造会社、販売会社などを採用することができる。その他、商品に関連したサービス情報（例えば、メーカや販売会社が主催する商品キャンペーンなどの情報）、商品の口コミ情報（例えば、商品を購入したユーザの使用感、商品のデザインについての感想、価格についての意見など）、商品に関連した店舗情報（例えば、電子ポイントアップデー、バーゲンセールなどの広告）でもよい。
【００１４】
ここでの携帯情報端末としては、例えば、スマートフォン、タブレットなどの携帯可能な端末を採用することができる。ただし、携帯情報端末には、ＱＲコードを読み取るＱＲコードリーダ（ＱＲコードリーダ＆ライタでもよい）と、ＮＦＣタグを読み取るＮＦＣタグリーダ（ＮＦＣタグリーダ＆ライタでもよい）を搭載したものでなければならない。当然ながら、携帯情報端末は、商品情報サイトの情報を画面表示するディスプレイを有している。
【００１５】
請求項２に記載の考案は、前記ＰＯＰ材は、前記商品を陳列する販売促進助成物に引っ掛けることにより、前記商品に対する意識や関心を高め、かつ購買を促進するプロモーションフック用のＰＯＰカード、ブックエンドＰＯＰ、スイングＰＯＰの何れか１つであることを特徴とする請求項１に記載のＮＦＣタグ・ＱＲコード付ＰＯＰである。
【００１６】
販売促進助成物とは、商品を陳列するための陳列用具と、商品の販売促進を行う販売促進用具とを含む。具体的には、陳列棚、什器、カウンタ用陳列器、商品吊り下げパネルなどが挙げられる。
プロモーションフックとは、顧客に対して、商品への意識や関心を高めるとともに、購買を促進するためのフックである。
プロモーションフックの種類は限定されない。例えば、商品を吊り下げられるように構成したものでも、単に商品のプロモーション（ＰＯＰ広告など）のみを目的としたものでもよい。
【００１７】
プロモーションフックへのＰＯＰカードの取り付け位置は任意である。一般的には、商品のＰＯＰ広告を掲げるためにフック本体に設けた掲示部材である。
ＰＯＰカードとは、商品のＰＯＰ広告を掲げるためのカードである。
ブックエンドＰＯＰとは、陳列棚の中で商品陳列を邪魔することなく展開が可能な棚用仕切りＰＯＰである。陳列棚の手前にシェルフシート部が突き出し、側面の仕切りシート部からも訴求面が見えるように構成されている。
ブックエンドＰＯＰにおけるＮＦＣマーク付ＱＲコードの表示位置は任意である。例えば、シェルフシート部や仕切りシート部でもよい。
スイングＰＯＰとは、合成樹脂シートや紙製で、一般的には表面に商品の広告がプリントされた広告表示部と、広告表示部の外縁から一体的に延出した装着部とを有したものである。スイングＰＯＰは、例えば両面テープを介して、装着部の基端部を陳列棚などに首振り自在に取り付けて使用される。
【考案の効果】
【００１８】
この考案によれば、ＰＯＰ材の訴求面の一部領域に、ＱＲコードの一部にモバイル非接触ＩＣ通信マークを表示し、かつこのＰＯＰ材のうち、ＮＦＣマーク付ＱＲコードの表示部分の裏側またはその内部に、ＮＦＣタグを設けている。これにより、ＰＯＰ材の訴求面において、ＱＲコードとモバイル非接触ＩＣ通信マークという２種類のインターネットを介した商品情報入手用表示部を表示することによる訴求面積の減少を抑制することができる。
特に、ＮＦＣタグを、ＰＯＰ材のうち、ＮＦＣマーク付ＱＲコードの表示部分の内部に埋め込んだ場合には、訴求面が表裏面のＰＯＰ材の場合、その表裏側の訴求面をより効率的に利用することができる。
【図面の簡単な説明】
【００１９】
【図１】本考案の実施例１に係るＮＦＣタグ・ＱＲコード付ＰＯＰが取り付けられたプロモーションフックの斜視図である。
【図２】本考案の実施例１に係るＮＦＣタグ・ＱＲコード付ＰＯＰが取り付けられたプロモーションフックの要部拡大正面図である。
【図３】本考案の実施例１に係るＮＦＣタグ・ＱＲコード付ＰＯＰのうち、ＮＦＣタグの電気系統のブロック図である。
【図４】本考案の実施例２に係るＮＦＣタグ・ＱＲコード付ＰＯＰが取り付けられたブックエンドＰＯＰの斜視図である。
【図５】本考案の実施例３に係るＮＦＣタグ・ＱＲコード付ＰＯＰが取り付けられたスイングＰＯＰの斜視図である。
【考案を実施するための形態】
【００２０】
以下、この考案の実施例を具体的に説明する。
【実施例】
【００２１】
図１および図２において、１０はこの考案の実施例１に係るＮＦＣタグ・ＱＲコード付ＰＯＰで、このＮＦＣタグ・ＱＲコード付ＰＯＰ１０は、商品１１のＰＯＰ広告を掲げるためのＰＯＰカード（ＰＯＰ材）１２の表面（訴求面）１２ａに、ＱＲコード１３の中央部（一部）にモバイル非接触ＩＣ通信マーク１４を付したＮＦＣマーク付ＱＲコード１５を表示し、ＰＯＰカード１２のうち、ＮＦＣマーク付ＱＲコード１５の表示部分の裏側にＮＦＣタグ１６を貼着したものである。
ＮＦＣタグ・ＱＲコード付ＰＯＰ１０は、商品陳列棚１７の側板を構成するサイドネット１８に引っ掛けるためのプロモーションフック１９に取り付けられる。
【００２２】
以下、これらの構成部品を具体的に説明する。まず、プロモーションフック１９について説明する。
図１および図２に示すように、プロモーションフック１９は、サイドネット１８に引っ掛けるための掛止部２０に、商品１１を吊り下げる商品フック部２１が連結されるとともに、連結アーム２２を介して、ＰＯＰカード１２が裏面に着脱自在に貼着される横長な矩形プレート状の掲示部材２３が取り付けられたフック本体２４と、掲示部材２３に抜き差し自在に掛止される紙製のプライスカード２５とを有している。
【００２３】
次に、ＮＦＣタグ・ＱＲコード付ＰＯＰ１０を詳しく説明する。
ＰＯＰカード１２は、掲示部材２３より大判な紙製の横長シートである。このＰＯＰカード１２の長さ方向の一端部は、掲示部材２３の一側方へ突出しており、その突出部分が、表面１２ａにＮＦＣマーク付ＱＲコード１５がプリントされたＱＲコード表示部となっている。一方、ＰＯＰカード１２の上端部は、掲示部材２３の全長に渡って上方へ突出している。この上方突出部分の表面１２ａに、「商品情報をタッチでチェック！」という文字がプリントされている。
【００２４】
ＮＦＣマーク付ＱＲコード１５は、正方形のＱＲコード１３を本体とし、その中央部が円形に白抜きされている。この白抜き部分に、モバイル非接触ＩＣ通信マーク１４が表示されている（図２の部分拡大図を参照）。
ＱＲコード１３には、商品１１の商品情報サイトのアドレスがマトリックス状に画像表示されている。顧客がスマートフォン（携帯情報端末）２６のカメラによりＱＲコード１３を撮影することで、その画像データがスマートフォン２６に内蔵したＱＲコードリーダ／ライタにより読み取られ、得られた商品１１の商品情報サイトのアドレスを、スマートフォン２６のディスプレイに表示する。その後、顧客がスマートフォン２６を操作し、インターネット回線を介して、商品情報サイト（Ｗｅｂサイト）にアクセスする。
【００２５】
一方、ＮＦＣタグ１６は、ＱＲコード１３表示部の裏側（裏面）に貼着された円形のシール状のものである。このＮＦＣタグ１６は、ＱＲコード１３と同じ商品１１の商品情報サイトのアドレスが記憶されたタグ記憶部を有している。顧客がスマートフォン２６をＮＦＣマーク付ＱＲコード１５の裏側にあるＮＦＣタグ１６にかざした際に、近距離無線通信によってスマートフォン２６が自動起動状態され、かつインターネット回線を介して、スマートフォン２６を商品情報サイトへのアクセス状態とするものである。
【００２６】
また、ＮＦＣタグ１６は、ＩＳＯ／ＩＥＣ１８０９２で標準化された周波数１３．５６ＭＨｚの近距離無線通信方式のＲＦＩＤ（Ｒａｄｉｏ  ｆｒｅｑｕｅｎｃｙ  ｉｄｅｎｔｉｆｉｃａｔｉｏｎ）タグである。ＮＦＣタグ１６は、パッシブ型無線タグと同様に、ＮＦＣタグ１６のリーダ／ライタを有したスマートフォン２６から非接触で供給された電力により動作する。
掲示部材２３は、下枠部が前方へ向かって上方傾斜した上向きコの字状の外枠２７が付いた本体奥板２８と、外枠２７に嵌入された肉厚で透明なプラスチック板２９とを有したカードホルダである。本体奥板２８とプラスチック板２９との間には、ＰＯＰカード１２が抜き差し自在に挿入されている。
【００２７】
図３のブロック図に示すように、ＮＦＣタグ１６は、合成樹脂からなる円形のベースシート３０の面に、渦巻状のアンテナ３１と、ＮＦＣ通信部３２と、タグ記憶部３３と、制御部３４と、受電部３５とを有している。
ＮＦＣ通信部（高周波回路）３２は、近傍（例えば数ｍ）にかざされたスマートフォン２６との近距離無線通信を実行する手段である。
タグ記憶部３３は、クラウドサーバが運営する商品１１の商品情報サイトのアドレスを記憶する手段である。
制御部３４は、ＣＰＵを内蔵して、ＮＦＣタグ１６の全体を制御する手段である。
受電部３５は、電源回路を有して、ＮＦＣ通信部３２を通してスマートフォン２６からの電力を非接触で受電する手段である。
【００２８】
スマートフォン２６は、携帯情報端末の一種で、表示部としてのディスプレイ３６と（図１を参照）、ＮＦＣタグリーダ／ライタとを有している。
クラウドサーバは、インターネット回線に接続され、かつ商品１１のメーカが運営するクラウド上のサーバである。なお、クラウドサーバは、メーカではなく店舗が運営してもよい。クラウドサーバのデータベース（記憶部）に、商品情報サイト（Ｗｅｂサイト）のコンテンツが記憶されている。
商品１１の情報としては、成分表、商品特徴、使用方法、製造会社、販売会社、商品１１に関連したサービス情報などを採用することができる。
【００２９】
次に、図１〜図３を参照して、本考案の実施例１に係るＮＦＣタグ・ＱＲコード付ＰＯＰ１０の使用方法を説明する。
図１および図２に示すように、店舗内において、商品陳列棚１７の前で、顧客が特定の商品１１に興味を感じたとき、スマートフォン２６のカメラによりＱＲコード１３を撮影する。その後、この画像データがＱＲコードリーダ／ライタにより読み取られ、得られた商品１１の商品情報サイトのアドレスをディスプレイ３６に表示する。次いで、顧客はスマートフォン２６を操作し、インターネット回線を介して、その表示された商品情報サイト（サーバ）にアクセスする。顧客は、商品情報サイトから商品１１についての所望の情報、その他、キャンペーン情報、イベント情報、口コミ情報などを入手する。
【００３０】
また、図１〜図３に示すように、顧客のスマートフォン２６がＮＦＣタグリーダ／ライタを搭載したものの場合には、スマートフォン２６をＮＦＣタグ・ＱＲコード付ＰＯＰ１０のＰＯＰカード１２にかざす。これにより、スマートフォン２６から近距離無線発信を通して発信された電力が、アンテナ３１からＮＦＣ通信部３２を通して受電部３５が受電し、ＮＦＣタグ１６が作動する。なお、顧客がスマートフォン２６をＮＦＣタグ１６にかざした時、スマートフォン２６に電子ポイントを付与してもよい。
【００３１】
すなわち、タグ記憶部３３に記憶された商品１１の商品情報サイトのアドレスがスマートフォン２６へ送信され、これに基づき、スマートフォン２６が商品情報サイトに自動アクセスし、そのサイトページをディスプレイ３６に表示する。顧客は、商品情報サイトから商品１１についての所望の情報、その他、キャンペーン情報、イベント情報、口コミ情報などを入手する。
このとき、顧客のスマートフォン２６と商品情報サイトとの間で、様々な事柄について双方向の情報交換を行ってもよい。例えば、入手したキャンペーン情報に対してのキャンペーンへの応募およびその受付管理、イベント情報に対しての顧客の質問およびその解答（オペレータ対応を含む）、口コミ情報に対しての顧客の評価、その評価へのポイント付与などである。これらの点は、ＱＲコード１３により商品情報サイトにアクセスした場合も同様である。
【００３２】
このように、ＰＯＰカード１２の訴求面１２ａの一部領域にＮＦＣマーク付ＱＲコード１５を表示し、このＰＯＰカード１２のうち、ＮＦＣマーク付ＱＲコード１５の表示部分の裏側またはその内部に、ＮＦＣタグ１６を取り付けた。その結果、ＰＯＰカード１２において、ＱＲコード１３とモバイル非接触ＩＣ通信マーク１４という２種類のインターネットを介した商品情報入手用表示部を表示することによる訴求面積の減少を抑えることができる。
【００３３】
また、このようにＰＯＰカード１２に、ＮＦＣマーク付ＱＲコード１５とＮＦＣタグ１６との両方を配したため、顧客が所持するスマートフォン２６の機能レベル（ＱＲコードリーダ／ライタまたはＮＦＣタグリーダ／ライタ）応じて、顧客が商品１１の購入の動機となるサイト画面をディスプレイ３６に表示し、顧客に対して、多くの商品情報を店舗内でリアルタイムに提供することができる。
【００３４】
次に、図４を参照して、本考案の実施例２に係るＮＦＣタグ・ＱＲコード付ＰＯＰを説明する。
図４に示すように、本考案の実施例２に係るＮＦＣタグ・ＱＲコード付ＰＯＰ１０Ａの特徴は、ＰＯＰ材として、ブックエンドＰＯＰ４０を採用した点である。
ブックエンドＰＯＰ４０は、陳列棚の中で商品陳列を邪魔することなく展開が可能な棚用仕切りＰＯＰである。
【００３５】
ブックエンドＰＯＰ４０は、平面視して矩形状の底面シート部４１の前側に、陳列棚の手前に配されるシェルフシート部４２が突き出し状態で連結し、かつ底面シート部４１の両側に、陳列棚より各前方へ前部が突出する左右一対の仕切りシート部４３が連結されたものである。シェルフシート部４２の表面（上面）４２ａと、各仕切りシート部４３の前部の表面（外面）４３ａ，４３ａとがそれぞれ訴求面となる。
したがって、ＮＦＣマーク付ＱＲコード１５は、これら３つのシート部４２，４３の一部領域の表面にそれぞれ表示されるとともに、各ＮＦＣタグ１６は、各シート部４２，４３の対応する部分のシート内に埋め込まれている。このように、ＮＦＣタグ１６を埋め込むことで、各シート部４２，４３、特に各仕切りシート部４３の表裏側の訴求面を効率的に利用することができる。
その他の構成、作用および効果は、実施例１と略同じであるため、説明を省略する。
【００３６】
次に、図５を参照して、本考案の実施例３に係るＮＦＣタグ・ＱＲコード付ＰＯＰを説明する。
図５に示すように、本考案の実施例３に係るＮＦＣタグ・ＱＲコード付ＰＯＰ１０Ｂの特徴は、ＰＯＰ材として、スイングＰＯＰ５０を採用した点である。ＮＦＣタグ・ＱＲコード付ＰＯＰ１０ＢをスイングＰＯＰ５０に取り付けることで、首を振りながら顧客に商品１１の広告をアピールすることができ、より多くの顧客を商品情報サイトに誘導することができる。
【００３７】
スイングＰＯＰ５０は、表面に商品１１の広告が印刷された大径な第１の広告表示部５１と、第１の広告表示部５１の周縁の一部に各先端が一体的に連結され、かつ平行に離間した左，右側吊下帯部５２と、左，右側吊下帯部５２の各基端がそれぞれ一体的に連結され、かつ裏面に両面テープ５３を有した横長で矩形状の取り付けベース部５４と、第１の広告表示部５１の周縁のうち、左，右側吊下帯部５２の間の部分から前方へ円弧状に垂れ下がる１本の中央側吊下帯部５５と、中央側吊下帯部５５の先端に周縁の一部が一体的に連結され、かつ表面に商品１１の別の広告とＮＦＣマーク付ＱＲコード１５とがそれぞれ印刷された小径な第２の広告表示部５６とを有している。
【００３８】
ＮＦＣタグ１６は、この第２の広告表示部５６の裏面に貼着されている。また、第２の広告表示部５６は、これと同一形状および同一サイズの裏折り部５７を有している。そのため、ＮＦＣタグ１６は、第２広告表示部５６と裏折り部５７との間に挟まれた状態となっている。
スイングＰＯＰ５０は、肉薄な合成樹脂シートを型抜きして形成されたものである。スイングＰＯＰ５０は、両面テープ５３を介して、陳列棚の前縁面に首振り自在に貼着されている。
その他の構成、作用および効果は、実施例１と略同じであるため、説明を省略する。
【産業上の利用可能性】
【００３９】
本考案のＮＦＣタグ・ＱＲコード付ＰＯＰは、店舗の陳列棚の例えばプロモーションフックなどに設置されて、ＩＯＴ（Ｉｎｔｅｒｎｅｔ  ｏｆ  Ｔｈｉｎｇｓ）を利用した商品の販売促進を行う技術として有用な技術である。
【符号の説明】
【００４０】
１０，１０Ａ  ＮＦＣタグ・ＱＲコード付ＰＯＰ
１１  商品
１２  ＰＯＰカード（ＰＯＰ材）
１２ａ，４２ａ，４３ａ  表面（訴求面）
１３  ＱＲコード
１４  モバイル非接触ＩＣ通信マーク
１５  ＮＦＣマーク付ＱＲコード
１６  ＮＦＣタグ
１８  サイドネット（販売促進助成物）
１９  プロモーションフック
４０  ブックエンドＰＯＰ（ＰＯＰ材）
５０  スイングＰＯＰ（ＰＯＰ材）
【図１】
0003219384.tif 000003
【図２】
0003219384.tif 000004
【図３】
0003219384.tif 000005
【図４】
0003219384.tif 000006
【図５】
0003219384.tif 000007